(57)【要約】      （修正有）【課題】積層型の太陽電池に蓄電機能を一体化してシステムトータルの製造コストを低減すると共にハンドリングを簡単にして、窓面や壁面の限られた狭い場所でも取付可能な太陽光発電パネルを提供する。【解決手段】フィルム基板１の上に下地材層２を形成して電極層３を積層する。更に電極の上に誘電体層４を積層する。そしてその上に更に電極層３を積層する。蓄電容量を大きくする場合には、更に誘電層４蓄電層３と交互に積み重ねる。こうして作ったキャパシタ層の上に、更に下地材２を形成して、電極層３、ｎ型半導体層５、ｐｎ接合層６、ｐ型半導体層７、電極層３と形成して薄膜太陽電池を作り、その上に保護層８を付ける。この時に、薄膜太陽電池層と一緒に逆流防止素子９を一体成型すると共に、これを介して電極層３を使って薄膜太陽電池の電力をキャパシタ層に接続する。【選択図】図１
0003167749.tif 000002
【実用新案登録請求の範囲】
【請求項１】
太陽電池とキャパシタを一体化した太陽電池。
【請求項２】
太陽電池の下層にキャパシタを生成した太陽電池。
【請求項３】
太陽電池の下層に複数層のキャパシタ層を生成した太陽電池。
【請求項４】
薄膜太陽電池とキャパシタを一体化した薄膜太陽電池出。
【請求項５】
薄膜太陽電池の下層にキャパシタを生成した太陽電池。
【請求項６】
薄膜太陽電池の下層に複数層のキャパシタ層を生成した太陽電池。
【請求項７】
太陽電池部分とキャパシタ部分の接続部分に逆流防止素子を一体生成した請求項５の薄膜太陽電池
【請求項８】
キャパシタからの電力取出回路を一体生成した請求項７の薄膜太陽電池
【考案の詳細な説明】
【技術分野】
【０００１】  近年、自然エネルギー利用の促進で結晶シリコン系の太陽光発電パネルを建物の屋根や地面等に取付ける事が一般化しています。しかしながら、コストの問題や資源利用の観点から、太陽光変換効率は悪いが、薄いフィルムの上にシリコン薄膜を蒸着した薄膜タイプと言われる太陽光発電パネルも次第に使われ始めています。その一方、建物の屋根の面積には限界があり、新エネルギー法の適用により、更なる省エネルギーの為に屋根や地面以外の建物の壁面や窓、狭小部分にも太陽光発電を取付ける必要性が生じており、従来の太陽光発電パネルの水平方向取付とは違う新たな取付方法も求められ、重量の重い従来の結晶シリコン系の太陽光発電パネルには限界が出て来ています。本考案は薄膜シリコンタイプ等、積層型の太陽電池に蓄電機能を一体化してシステムトータルの製造コストを低減すると共にハンドリングを簡単にして、窓面や壁面の限られた狭い場所にでも太陽光発電パネルを取付ける取付方法に関するものです。
【背景技術】
【０００２】  従来、太陽光発電パネルは結晶シリコンの上に回路を形成して作られていました。従って、作るサイズもシリコン結晶サイズに縛られた限界があり、それをコストパフォーマンスの良い仕組にする為には、多数を合わせて大きな一体パネルにしていた為、サイズが大きくて重量が重い物になっていました。しかし、近年、薄膜型と言われる、結晶シリコン系の３分の１程度しか変換効率が無いが、シリコン使用量が極端に少ない製品も性能が上がると共にコストが低下してきて、広い面積等、条件が合えば結晶シリコン系に対抗して利用出来る様になってきました。それと共に、技術の普及と、新エネルギー法施行によるさらに多くの省エネルギーの要求は、従来考えられてきた設置場所以外の、窓や壁面、狭小な場所でも日光の当たる場所はどこにでも太陽光発電パネルを設置しなくてはならなくなってきており、薄膜タイプの薄くて軽い特徴が際立ってきましたが、まだ結晶系との競争力には限界がありました。
【考案の開示】
【考案が解決しようとする課題】
【０００３】  従来、薄膜型タイプはシリコン結晶系に変換効率が追い付く為に効率アップを考えていましたが、その精度を上げても、なかなか単体では効率アップは出来ないでいます。しかしながら、太陽光発電は全システムで考えると、太陽光発電パネルばかりではなく、変換装置や蓄電装置等の多くの装置で構成されています。薄膜型の太陽光発電パネルは面積を大きく使わないと単体でシリコン結晶系との競争に勝てない部分を、面積が大きければ大きいほど有利になるキャパシタ蓄電機能や変換機能等の他の装置との合成でトータルの競争力を付けます。
【課題を解決するための手段】
【０００４】  本考案は、薄膜タイプの太陽光発電パネルが、元々、フィルム蒸着技術を使っている事を利用したものです。太陽電池の発電特性は太陽の日照に影響され、安定した電力は望めません。従って、これを蓄電する為には従来変換装置やバッテリーを必要としてきました。しかしながら、キャパシタは元々不安定な電力を平滑化する為に使われる電子部品で、不安定な太陽光発電電力の効率的な蓄積に向いています。また、キャパシタを構成する要素は、大きな平面２枚の電極版の間に誘電体を挟んだ蓄電になり、面積がおおきければ大きいほど蓄電量が増えて有利になりますので、面積の広い薄膜型太陽光電池の生成と同様な特徴を持っています。従って、太陽電池を生成する為のフィルムにまずキャパシタを生成し、その上層の通常と同様に薄膜太陽電池を生成することにより、技術的にも製造効率的にも良くなります。
【考案の効果】
【０００５】  本考案により、薄膜太陽電池に直接蓄電機能を安価に、省スペースで付加することが出来ると共に、従来の結晶がと比較して軽量化出来る為、設置が容易になります。キャパシタによる蓄電機能は太陽電池から来る不安定な電力を電荷として蓄積し、特に薄膜型から発生する、紫外線領域の小さな電力を有効に蓄積することが出来ます。従って、薄膜太陽電池とキャパシタを一体成型することにより、従来必要であった電装機器を不要にして、これ一枚で設備機器として製造効率が上がると共に新たな蓄電機能を必要としなくなり、大きなコストダウンと、設置スペースの節約が一挙に出来ます。また、太陽電池の日射の不安定さを取り除く事が出来ます。
【考案を実施するための最良の形態】
【０００６】  薄膜太陽電池のフィルム基板に電極板と誘電体を順次蒸着して、単板型キャパシタを形成します。その上層部に通常通り薄膜シリコン太陽電池を構成します。
まず、フィルム基板（１）の上に下地材層（２）を形成して電極層（３）を積層します。更に電極の上に誘電体層（４）を積層します。そしてその上に更に電極層（３）を積層します。蓄電容量を大きくする場合には、更に誘電層（４）蓄電層（３）と交互に積み重ねます。こうして作ったキャパシタ層の上に、更に下地材（２）を形成して、電極層（３）、ｎ型半導体層（５）、ｐｎ接合層（６）、ｐ型半導体層（７）、電極層（３）と形成して薄膜太陽電池を作り、その上に保護層（８）を付けます。
この時に、薄膜太陽電池層と一緒に逆流防止素子（９）を一体成型すると共に、これを介して電極層（３）を使って薄膜太陽電池の電力をキャパシタ層に接続します。また、これらの積層工程と一緒に、安定電圧回路（１０）を生成して、キャパシタから安定した電圧を直接取り出す様にすることも出来ます。
【図面の簡単な説明】
【図１】積層形成断面図
【図２】平面構成図
【図３】接続フロー図
【符号の説明】（１）はフィルム基板
（２）は下地材層
（３）は電極層
（４）は誘電体層
（５）はｎ型半導体層
（６）はｐｎ接合層
（７）はｐ型半導体層
（８）は保護層
（９）は逆流防止素子
（１０）は安定電圧回路
【図１】
0003167749.tif 000003
【図２】
0003167749.tif 000004
【図３】
0003167749.tif 000005
【手続補正書】
【提出日】平成23年2月12日(2011.2.12)
【手続補正１】
【補正対象書類名】実用新案登録請求の範囲
【補正対象項目名】全文
【補正方法】変更
【補正の内容】
【実用新案登録請求の範囲】
【請求項１】
太陽電池にキャパシタを取付けた太陽電池
【請求項２】
太陽電池の下層にキャパシタを設けた太陽電池
【請求項３】
太陽電池の下層に複数層のキャパシタ層と有機ＥＬ照明層を設けた太陽電池
【請求項４】
薄膜太陽電池にキャパシタを取付けた薄膜太陽電池
【請求項５】
薄膜太陽電池の下層にキャパシタを設けた薄膜太陽電池
【請求項６】
薄膜太陽電池の下層に複数層のキャパシタ層と有機ＥＬ照明層を設けた薄膜太陽電池
【請求項７】
太陽電池部分とキャパシタ部分の接続部分に逆流防止素子を一体成型した請求項５の薄膜太陽電池
【請求項８】
キャパシタからの電力取出回路を一体成型した請求項７の薄膜太陽電池